(57)【特許請求の範囲】
【請求項１】
犬の排泄物を吸収する吸収体を保持する吸収体保持部と、
前記吸収体保持部の一端部に、短辺が接続される帯状の第１胴体固定用帯状部と、
前記一端部の反対側の他端部に、短辺が接続される帯状の第２胴体固定用帯状部と、
前記第１胴体固定用帯状部と前記第２胴体固定用帯状部とを犬の骨盤より頭部側の胴体の一番細くなっている位置に巻き付けるために、前記第１胴体固定用帯状部と前記第２胴体固定用帯状部とを着脱可能に連結する第１連結部と、
前記一端部に、短辺が接続される帯状の第１臀部固定用帯状部と、
前記他端部に、短辺が接続される帯状の第２臀部固定用帯状部と、
前記第１臀部固定用帯状部と前記第２臀部固定用帯状部とを犬の骨盤と尻尾との間に巻き付けるために、前記第１臀部固定用帯状部と前記第２臀部固定用帯状部とを着脱可能に連結する第２連結部とを有し、
前記第１連結部は、犬への装着時において第１胴体固定用帯状部の犬に接触しない側の端部に貼り付けられる雌部材と、犬への装着時において第２胴体固定用帯状部の犬に接触する側の端部に貼り付けられる雄部材とからなり、
前記第２連結部は、犬への装着時において第１臀部固定用帯状部の犬に接触しない側の端部に貼り付けられる雌部材と、犬への装着時において第２臀部固定用帯状部の犬に接触する側の端部に貼り付けられる雄部材とからなり、
前記第１連結部および第２連結部は雌部材と雄部材とを重ね合わせることで連結できるメカニカルテープであることを特徴とする犬用吸収体保持バンド。
【請求項２】
前記第１胴体固定用帯状部の長辺と前記第１臀部固定用帯状部の長辺とのなす角度および前記第２胴体固定用帯状部の長辺と前記第２臀部固定用帯状部の長辺とのなす角度が同一であり、
前記第１胴体固定用帯状部の長辺と前記第１臀部固定用帯状部の長辺とのなす角度が１０°以上９０°以下であることを特徴とする請求項１記載の犬用吸収体保持バンド。
【請求項３】
前記吸収体保持部は、前記第１臀部固定用帯状部が接続されている部分と前記第２臀部固定用帯状部が接続されている部分との間に、外側に向かって突出する三角形状または台形状の凸部を有することを特徴とする請求項１または２記載の犬用吸収体保持バンド。
【請求項４】
前記第１胴体固定用帯状部、前記第２胴体固定用帯状部、前記第１臀部固定用帯状部および前記第２臀部固定用帯状部は、それぞれの長手方向に伸縮性を有する布で形成され、
前記吸収体保持部は、前記第１胴体固定用帯状部と前記第２胴体固定用帯状部とを結ぶ方向に伸縮性を有する布で形成されることを特徴とする請求項１〜３のいずれか１つに記載の犬用吸収体保持バンド。
【請求項５】
前記吸収体保持部は、前記第１胴体固定用帯状部と前記第２胴体固定用帯状部とに渡る端部にギャザーが形成されていることを特徴とする請求項１〜４のいずれか１つに記載の犬用吸収体保持バンド。
【発明の詳細な説明】
【技術分野】
【０００１】
本発明は、犬用吸収体保持バンド、特に雄犬用吸収体保持バンドに関するものである。
【背景技術】
【０００２】
近年、ペットとして、犬などの動物を飼うことが多くなり、室内で生活をともにするようになっている。このような室内で動物を飼う場合、排尿による室内の汚損および臭気などが問題になっている。このような問題は、ペット用のトイレなどの決められた場所で排尿するようにペットをしつけることによって、解決することができる。しかしながら、このような排尿場所のしつけは、飼い主にとって、非常に大変であり、しつけがうまくいかない場合がある。しつけることができたとしても、排尿場所で必ず排尿するとは限らず、外出時などには、排尿の問題が解決されていない。また、特に雄犬の場合、マーキングと呼ばれる排尿を頻繁に行って縄張りを定めようとする行為を行う。この行為は、雄犬の本能であるので、この行為による排尿をしつけで防ぐことは非常に困難である。そこで、これらの排尿による問題に対する対策として、たとえば、犬用のパンツが使用されている。
【０００３】
犬用のパンツとしては、下半身全体を覆うものが知られている。このような下半身全体を覆うパンツは、被着部位である尿道口と接するパンツ内の位置に、尿吸収パッドを貼着させておくことで、尿などの排泄物を吸収させることができる。
【０００４】
しかしながら、室内への排尿を防ぐ目的の場合、下半身全体を覆う必要がない。さらに、このような下半身全体を覆うパンツは、臀部などを広い範囲で覆っているので、通気性が悪く、股関節が出ないため、歩きにくく、犬が動き回るうちに、パンツがずれ、吸収体が被着部位を覆わなくなってしまう。パンツがずれた場合、吸収体が被着部位を覆っていないので、尿が吸収体に吸収されずにパンツ外部に漏れてしまう。また、伸縮性のあるゴムなどで締め付けることによって、密着させていることが多く、このような場合、窮屈であるため犬が噛んで脱ごうとしてしまうことがある。さらに、犬の体型は様々であるので、犬種および大きさに合わせて、様々な形状のパンツを用意する必要がある。また、パンツを装着させる際、犬の後足および尻尾などを手でつかんで穴に通す必要がある。このため、犬が装着を嫌がり、装着に長時間かかってしまう。
【０００５】
そこで、下半身全体を覆うパンツではなく、一枚の帯状の布を犬の胴体に巻きつけることによって、尿道口を覆うようなバンドが考えられる。このような典型的な従来の技術は、特許文献１に記載されている。特許文献１には、オス犬の陰部を腹巻のように覆い、専用の尿取用おむつを装着して使用するおむつカバーが記載されている。図１１は、従来技術であるおむつカバー１０１を示す概略図である。おむつカバー１０１は、一枚の帯状の布１０２の端部にメカニカルテープなどの着脱用合わせ部分１０３を有する。
【０００６】
【特許文献１】特開２００５−２２９９１５号公報
【発明の開示】
【発明が解決しようとする課題】
【０００７】
図１２は、従来技術であるおむつカバー１０１を犬に装着した状態を示す概略図である。図１２（ａ）は、犬が普通に立っている状態を示す概略図であり、図１２（ｂ）は、犬が背中を丸めた状態を示す概略図であり、図１２（ｃ）は、犬が前足をあげて立ち上がった状態を示す概略図であり、図１２（ｄ）は、犬が体をひねった状態を示す概略図である。
【０００８】
犬が普通に立っている状態であると、図１２（ａ）に示すように、おむつカバー１０１を犬を腹巻のように覆うと、おむつカバー１０１に装着した専用の尿取用おむつ１０４が、尿道口を覆うので、尿を吸収することができ、外部に尿を漏らすことがなくすことができる。さらに、犬の胴体に腹巻のように巻きつけるだけであるので、後足および尻尾を穴に通す必要がなく、犬に容易に装着することができる。さらに、犬の体型に関わらず、装着することができる。
【０００９】
しかしながら、犬が動き回ると、容易にずれてしまう。たとえば、犬が背中を丸めると、図１２（ｂ）に示すように、おむつカバー１０１が、犬の頭部方向１０５に引っ張られ、その方向にずれてしまう。犬が前足をあげて立ち上がると、図１２（ｃ）に示すように、おむつカバー１０１が、犬の尻尾方向１０６に引っ張られ、その方向にずれてしまう。犬が体をひねると、図１２（ｄ）に示すように、おむつカバー１０１が、犬の胴体回り方向１０７にねじれて、ずれてしまう。したがって、おむつカバー１０１がずれた場合、専用の尿取用おむつ１０４が尿道口からずれてしまうので、尿が専用の尿取用おむつ１０４に吸収されずにおむつカバー１０４外部に漏れてしまう。
【００１０】
本発明の目的は、装着が容易で、体型の異なる犬に対しても柔軟に対応でき、犬が動きやすく、ずれにくい犬用吸収体保持バンドを提供することである。
【課題を解決するための手段】
【００１１】
本発明は、犬の排泄物を吸収する吸収体を保持する吸収体保持部と、
前記吸収体保持部の一端部に、短辺が接続される帯状の第１胴体固定用帯状部と、
前記一端部の反対側の他端部に、短辺が接続される帯状の第２胴体固定用帯状部と、
前記第１胴体固定用帯状部と前記第２胴体固定用帯状部とを犬の骨盤より頭部側の胴体の一番細くなっている位置に巻き付けるために、前記第１胴体固定用帯状部と前記第２胴体固定用帯状部とを着脱可能に連結する第１連結部と、
前記一端部に、短辺が接続される帯状の第１臀部固定用帯状部と、
前記他端部に、短辺が接続される帯状の第２臀部固定用帯状部と、
前記第１臀部固定用帯状部と前記第２臀部固定用帯状部とを犬の骨盤と尻尾との間に巻き付けるために、前記第１臀部固定用帯状部と前記第２臀部固定用帯状部とを着脱可能に連結する第２連結部とを有し、
前記第１連結部は、犬への装着時において第１胴体固定用帯状部の犬に接触しない側の端部に貼り付けられる雌部材と、犬への装着時において第２胴体固定用帯状部の犬に接触する側の端部に貼り付けられる雄部材とからなり、
前記第２連結部は、犬への装着時において第１臀部固定用帯状部の犬に接触しない側の端部に貼り付けられる雌部材と、犬への装着時において第２臀部固定用帯状部の犬に接触する側の端部に貼り付けられる雄部材とからなり、
前記第１連結部および第２連結部は雌部材と雄部材とを重ね合わせることで連結できるメカニカルテープであることを特徴とする犬用吸収体保持バンドである。
【００１２】
また本発明は、前記第１胴体固定用帯状部の長辺と前記第１臀部固定用帯状部の長辺とのなす角度および前記第２胴体固定用帯状部の長辺と前記第２臀部固定用帯状部の長辺とのなす角度が同一であり、
前記第１胴体固定用帯状部の長辺と前記第１臀部固定用帯状部の長辺とのなす角度が１０°以上９０°以下であることを特徴とする。
【００１４】
また本発明は、前記吸収体保持部は、前記第１臀部固定用帯状部が接続されている部分と前記第２臀部固定用帯状部が接続されている部分との間に、外側に向かって突出する三角形状または台形状の凸部を有することを特徴とする。
【００１５】
また本発明は、前記第１胴体固定用帯状部、前記第２胴体固定用帯状部、前記第１臀部固定用帯状部および前記第２臀部固定用帯状部は、それぞれの長手方向に伸縮性を有する布で形成され、
前記吸収体保持部は、前記第１胴体固定用帯状部と前記第２胴体固定用帯状部とを結ぶ方向に伸縮性を有する布で形成されることを特徴とする。
【００１６】
また本発明は、前記吸収体保持部は、前記第１胴体固定用帯状部と前記第２胴体固定用帯状部とに渡る端部にギャザーが形成されていることを特徴とする。
【発明の効果】
【００１７】
本発明によれば、犬の排泄物を吸収する吸収体を保持する吸収体保持部と、吸収体保持部の一端部に、短辺が接続される帯状の第１胴体固定用帯状部と、一端部の反対側の他端部に、短辺が接続される帯状の第２胴体固定用帯状部と、第１胴体固定用帯状部と第２胴体固定用帯状部とを犬の骨盤より頭部側の胴体の一番細くなっている位置に巻き付けるために、第１胴体固定用帯状部と第２胴体固定用帯状部とを着脱可能に連結する第１連結部と、一端部に短辺が接続される帯状の第１臀部固定用帯状部と、他端部に短辺が接続される帯状の第２臀部固定用帯状部と、第１臀部固定用帯状部と第２臀部固定用帯状部とを犬の骨盤と尻尾との間に巻き付けるために、第１臀部固定用帯状部と第２臀部固定用帯状部とを着脱可能に連結する第２連結部とを有し、第１連結部は、犬への装着時において第１胴体固定用帯状部の犬に接触しない側の端部に貼り付けられる雌部材と、犬への装着時において第２胴体固定用帯状部の犬に接触する側の端部に貼り付けられる雄部材とからなり、第２連結部は、犬への装着時において第１臀部固定用帯状部の犬に接触しない側の端部に貼り付けられる雌部材と、犬への装着時において第２臀部固定用帯状部の犬に接触する側の端部に貼り付けられる雄部材とからなり、第１連結部および第２連結部は雌部材と雄部材とを重ね合わせることで連結できるメカニカルテープである犬用吸収体保持バンドである。
【００１８】
この犬用吸収体保持バンドは、吸収体保持部が尿道口を覆うように犬の腹部を覆って、第１胴体固定用帯状部と第２胴体固定用帯状部とを犬に巻き付けて、第１連結部で連結することによって、骨盤より頭部側の胴体の一番細くなっている場所に、しっかりと固定される。さらに、第１臀部固定用帯状部と第２臀部固定用帯状部とを犬に巻き付けて、第２連結部で連結することによって、骨盤と尻尾との間の部分に、しっかりと固定される。そうすることによって、この犬用吸収体保持バンドは、犬の胴体と臀部との２箇所で固定することができ、胴体を固定する場所と臀部を固定する場所との間に、犬の背中で凸部になっている骨盤がくるように装着することができるので、犬に吸収体保持部がしっかりと固定される
【００１９】
この犬用吸収体保持バンドは、犬が動き回ったとしても、胴体に固定されている場所と臀部に固定されている場所との間隔を広げたり狭めたりすることができるので、犬用吸収体保持バンドが引っ張られることがなく、犬の動きによって、犬用吸収体保持バンドがずれることがない。吸収体保持部に犬の排泄物を吸収する吸収体を保持すると、吸収体で尿道口を覆うことができるので、尿を吸収体に吸収させることができる。犬が動き回っても、吸収体保持部がずれることがなく、吸収体で尿道口を覆ったままであるので、尿を吸収体に確実に吸収させることができ、バンド外部に漏らすことがない。
【００２０】
また、第１胴体固定用帯状部、第２胴体固定用帯状部、第１胴体固定用帯状部および第２胴体固定用帯状部で、吸収体保持部を犬に固定するので、犬の股関節を覆うことなく固定することができるので、犬は動きやすい。
【００２１】
この犬用吸収体保持バンドは、装着の際に、犬の後足および尻尾を穴に通す必要がないので、装着が容易である。さらに、第１胴体固定用帯状部と第２胴体固定用帯状部とを連結させる位置および第１臀部固定用帯状部と第２臀部固定用帯状部とを連結させる位置を調節することによって、体型の異なる犬に対して柔軟に対応することができる。
【００２２】
以上より、この犬用吸収体保持バンドは、装着が容易で、体型の異なる犬に対しても柔軟に対応でき、犬が動きやすく、ずれにくい犬用吸収体保持バンドである。
【００２３】
また本発明によれば、第１胴体固定用帯状部の長辺と第１臀部固定用帯状部の長辺とのなす角度および第２胴体固定用帯状部の長辺と第２臀部固定用帯状部の長辺とのなす角度が同一であり、第１胴体固定用帯状部の長辺と第１臀部固定用帯状部の長辺とのなす角度が１０°以上９０°以下である。
【００２４】
そうすることによって、この犬用吸収体保持バンドは、しわなどが形成されることなく、胴体を固定する場所と臀部を固定する場所との間に、犬の背中で凸部になっている骨盤がくるように容易に装着することができるので、よりしっかりと犬に装着することができ、犬が動いても、よりずれにくい。
【００２７】
また本発明によれば、吸収体保持部は、第１臀部固定用帯状部が接続されている部分と第２臀部固定用帯状部が接続されている部分との間に、外側に向かって突出する三角形状または台形状の凸部を有する。
【００２８】
そうすることによって、この犬用吸収体保持バンドを装着すると、後足の間に、外側に向かって突出する三角形状または台形状の凸部を挟んで固定される。犬が体をひねっても、凸部の頂部が動かないので、犬用吸収体保持バンドがずれることがない。
【００２９】
また本発明によれば、第１胴体固定用帯状部、第２胴体固定用帯状部、第１臀部固定用帯状部および第２臀部固定用帯状部は、それぞれの長手方向に伸縮性を有する布で形成され、吸収体保持部は、第１胴体固定用帯状部と第２胴体固定用帯状部とを結ぶ方向に伸縮性を有する布で形成されるので、吸収体保持部が、よりしっかり固定され、ずれることがない。
【００３０】
また本発明によれば、吸収体保持部は、第１胴体固定用帯状部と第２胴体固定用帯状部とに渡る端部にギャザーが形成されているので、吸収体保持部の吸収体と接触する内側に凹部を形成させ、吸収体を保持しやすくなる。
【発明を実施するための最良の形態】
【００３１】
本発明は、犬用吸収体保持バンドであり、特に雄犬用吸収体保持バンドとして用いられる。
【００３２】
図１は、本発明の第１の実施形態である犬用吸収体保持バンド１１を表側の構成を示す概略図である。図２は、本発明の第１の実施形態である犬用吸収体保持バンド１１を裏側の構成を示す概略図である。犬用吸収体保持バンド１１は、雄犬の股間に装着され、尿を吸収するために用いられる吸収体保持バンドである。犬用吸収体保持バンド１１は、装着したときに犬に接触する内側を裏側とし、外側を表側とする。
【００３３】
犬用吸収体保持バンド１１は、吸収体保持部１２と第１胴体固定用帯状部１３と第２胴体固定用帯状部１４と第１臀部固定用帯状部１５と第２臀部固定用帯状部１６とを有する。吸収体保持部１２は、犬の排泄物を吸収する吸収体１７を内側に保持する布である。第１胴体固定用帯状部１３は、帯状の布であり、その短辺が、吸収体保持部１２の一端部に接続される。第２胴体固定用帯状部１４は、帯状の布であり、その短辺が、吸収体保持部１２の一端部とは反対側の他端部に接続される。また、吸収体保持部１２は、第１臀部固定用帯状部１５が接続されている部分と第２臀部固定用帯状部１６が接続されている部分との間に、外側に向かって突出する三角形状の凸部１８を有する。この三角形状の凸部１８は、角が丸みを帯びてもよく、本実施形態では、角に丸みを帯びている。また、凸部は、外側に向かって徐々に細くなる台形形状であってもよい。吸収体保持部１２と第１胴体固定用帯状部１３と第２胴体固定用帯状部１４と第１臀部固定用帯状部１５と第２臀部固定用帯状部１６とは、それぞれ、別の布から形成されていてもよいし、同一の布から形成されていてもよい。本実施形態では、吸収体保持部１２と第１胴体固定用帯状部１３と第２胴体固定用帯状部１４と第１臀部固定用帯状部１５と第２臀部固定用帯状部１６とは、同一の布から形成されている。
【００３４】
犬用吸収体保持バンド１１は、その周辺部２１に、伸縮性のある布が貼り付けられている。吸収体保持部１２の第１胴体固定用帯状部１３と第２胴体固定用帯状部１４とに渡る端部を縮めた状態で、周辺部２１に伸縮性のある布を貼り付けることによって、吸収体保持部１２の第１胴体固定用帯状部１３と第２胴体固定用帯状部１４とに渡る端部にギャザーが形成される。そうすることによって、吸収体保持部１２の吸収体１７と接触する内側に凹部が形成され、吸収体１７が保持しやすい形状となっている。
【００３５】
第１胴体固定用帯状部１３は、表側の吸収体保持部１２と接続されている端部に、雌部材２２が貼り付けられており、第２胴体固定用帯状部１４は、裏側の吸収体保持部１２と接続されている端部に、雄部材２３が貼り付けられている。第１臀部固定用帯状部１３は、表側の吸収体保持部１２と接続されている端部に、雌部材２４が貼り付けられており、第２臀部固定用帯状部１４は、裏側の吸収体保持部１２と接続されている端部に、雄部材２５が貼り付けられている。メカニカルテープは、雄部材と雌部材とを着脱可能に連結することができればよく、雄部材と雌部材とを重ね合わせることで連結することができる。また、雄部材同士および雌部材同士は連結することができない。図３は、犬用吸収体保持バンド１１を装着した犬の模型を横から見た写真を示す図である。図４は、犬用吸収体保持バンド１１を装着した犬の模型を上から見た写真を示す図である。図５は、犬用吸収体保持バンド１１を装着した犬の模型を下から見た写真を示す図である。ここでは、犬の代わりに犬の模型を用いている。図６は、犬の骨格を示す図である。
【００３６】
犬用吸収体保持バンド１１は、図３および図５に示すように、吸収体保持部１２が犬の尿道口を覆うように犬の腹部を覆う。第１胴体固定用帯状部１３および第２胴体固定用帯状部１４は、犬に巻き付けて、メカニカルテープの雌部材２２と雄部材２３とを連結することによって、図３および図４に示すように、犬の胴体、たとえば、骨盤３１より頭部側の胴体の一番細くなっている場所にしっかりと固定することができる。第１臀部固定用帯状部１５および第２臀部固定用帯状部１６は、犬に巻き付けて、メカニカルテープの雌部材２４と雄部材２５とを連結することによって、図３および図４に示すように、犬の臀部、たとえば、骨盤３１と尻尾３２の間に、しっかりと固定することができる。したがって、犬用吸収体保持バンド１１は、犬の胴体と臀部との２箇所で固定することができ、さらに、図６に示すように、胴体を固定する場所と臀部を固定する場所との間に、犬の背中で凸部になっている骨盤３１がくるように装着することができるので、犬に吸収体保持部１２がしっかりと固定される。メカニカルテープの雌部材２２および雄部材２３は、第１胴体固定用帯状部１３と第２胴体固定用帯状部１４とを着脱可能に連結する第１連結部に相当し、メカニカルテープの雌部材２４および雄部材２５は、第１臀部固定用帯状部１５と第２臀部固定用帯状部１６とを着脱可能に連結する第２連結部に相当する。
【００３７】
雌部材２２および雌部材２４の長辺方向の長さは、雄部材２３および雄部材２５の長辺方向の長さより長くするほうが好ましい。そうすることによって、雌部材２２を雄部材２３に連結する位置、および雌部材２４を雄部材２５に連結する位置を、それぞれ調節することによって、犬の体型に合わせることができるので、胴体固定用帯状部１２をよりしっかりと固定することができ、また、体型の異なる犬に対して、柔軟に対応することができる。本実施形態では、雌部材２２および雌部材２４の長辺方向の長さを１０ｃｍとし、雄部材２３および雄部材２５の長辺方向の長さは、５ｃｍとした。
【００３８】
また、帯状の第１胴体固定用帯状部１３と帯状の第２胴体固定用帯状部１４とを連結させ、帯状の第１臀部固定用帯状部１５と帯状の第２臀部固定用帯状部１６とを連結させることによって、吸収体保持部１２を固定するので、図３および図４に示すように、犬の股関節を覆うことなく、吸収体保持部１２を固定することができる。したがって、犬は、犬用吸収体保持バンド１１に動きが邪魔されることがないので、犬用吸収体保持バンド１１を装着しても動きやすい。
【００３９】
図７は、犬用吸収体保持バンド１１を犬に装着した状態を示す概略図である。図７（ａ）は、犬が背中を丸めた状態を示す概略図であり、図７（ｂ）は、犬が前足をあげて立ち上がった状態を示す概略図であり、図７（ｃ）は、犬が体をひねった状態を示す概略図である。
【００４０】
犬が背中を丸めると、犬用吸収体保持バンド１１が頭部側に引っ張られるが、図７（ａ）に示すように、胴体に固定されている場所と臀部に固定されている場所とを矢符３３方向に広げることができるので、犬用吸収体保持バンド１１がずれることがない。犬が前足をあげて立ち上がると、犬用吸収体保持バンド１１が尻尾側に引っ張られるが、図７（ｂ）に示すように、胴体に固定されている場所と臀部に固定されている場所とを矢符３４方向に縮めることができるので、犬用吸収体保持バンド１１がずれることがない。犬が体をひねると、犬用吸収体保持バンド１１が犬の胴体回りにねじれるように、引っ張られるが、図７（ｃ）に示すように、胴体に固定されている場所と臀部に固定されている場所とを広げたり、縮めたりする。さらに、犬の後足の間に、吸収体保持部１２の凸部１８を挟んで固定され、犬が体をひねっても、凸部の頂部が動かない。したがって、犬の動きによって、犬用吸収体保持バンド１１がずれることがない。したがって、犬用吸収体保持バンド１１は、図７に示すように、犬が動き回っても、胴体に固定されている場所と臀部に固定されている場所を広げたり狭めたりすることができるので、犬用吸収体保持バンド１１が引っ張られることなく、犬の動きによって、犬用吸収体保持バンド１１がずれることがない。
【００４１】
吸収体保持部１２には、犬の排泄物を吸収する吸収体１７が保持されているので、図７に示すように、吸収体１７で、犬の尿道口を覆うことができるので、尿を吸収体１７に吸収させることができる。また、犬が動き回っても、吸収体保持部１２がずれることがなく、吸収体１７が犬の尿道口を覆ったままであるので、尿を吸収体１７に確実に吸収させることができ、犬用吸収体保持バンド１１の外部に漏らすことない。
【００４２】
以上より、この犬用吸収体保持バンド１１は、装着が容易で、体型の異なる犬に対しても柔軟に対応でき、犬が動きやすく、ずれにくい犬用吸収体保持バンドである。
【００４３】
また、第１胴体固定用帯状部１３の長手方向の長さと第２胴体固定用帯状部１４の長手方向の長さとが同一であり、第１臀部固定用帯状部１５の長手方向の長さと第２臀部固定用帯状部１６の長手方向の長さとが同一である。さらに、第１胴体固定用帯状部１３の長手方向の長さおよび第１臀部固定用帯状部１５の長手方向の長さに対する吸収体保持部１２の第１胴体固定用帯状部１３と第２胴体固定用帯状部１４とを結ぶ方向の長さの比が、０．５以上３．０以下であることが好ましい。より好ましくは、０．５以上２．０以下であり、さらに好ましくは、０．９以上１．４以下である。そうすると、第１胴体固定用帯状部１３と第２胴体固定用帯状部１４とを犬に巻き付けて固定したとき、および、第１臀部固定用帯状部１５と第２臀部固定用帯状部１６とを犬に巻きつけて固定したときに、犬の大きさに関わらず、吸収体保持部１２が犬の腹の幅方向を充分に覆うことができる。したがって、犬の大きさに関わらず、犬の体型に容易に合わせることができ、吸収体保持部１２をしっかりと固定することができる。たとえば、体重が１ｋｇ以上３ｋｇ以下であって、胴回りが１８ｃｍ以上２５ｃｍ以下の犬用吸収体保持バンドでは、第１胴体固定用帯状部１３の長手方向の長さが１２ｃｍ、第１臀部固定用帯状部１５の長手方向の長さが１２ｃｍとし、吸収体保持部１２の第１胴体固定用帯状部１３と第２胴体固定用帯状部１４とを結ぶ方向の長さが１１ｃｍとし、第１胴体固定用帯状部１３の長手方向の長さおよび第１臀部固定用帯状部１５の長手方向の長さに対する吸収体保持部１２の第１胴体固定用帯状部１３と第２胴体固定用帯状部１４とを結ぶ方向の長さの比が、約１．１である。また、体重が３ｋｇ以上５ｋｇ以下であって、胴回りが２２ｃｍ以上３２ｃｍ以下の犬用吸収体保持バンドでは、第１胴体固定用帯状部１３の長手方向の長さが１４ｃｍ、第１臀部固定用帯状部１５の長手方向の長さが１４ｃｍとし、吸収体保持部１２の第１胴体固定用帯状部１３と第２胴体固定用帯状部１４とを結ぶ方向の長さが１１ｃｍとし、第１胴体固定用帯状部１３の長手方向の長さおよび第１臀部固定用帯状部１５の長手方向の長さに対する吸収体保持部１２の第１胴体固定用帯状部１３と第２胴体固定用帯状部１４とを結ぶ方向の長さの比が、約１．３である。
【００４４】
第１胴体固定用帯状部１３、第２胴体固定用帯状部１４、第１臀部固定用帯状部１５および第２臀部固定用帯状部１６は、それぞれの長手方向に伸縮性を有する布で形成されており、吸収体保持部１２は、第１胴体固定用帯状部１３と第２胴体固定用帯状部１４とを結ぶ方向に伸縮性を有する布で形成される。第１胴体固定用帯状部１３、第２胴体固定用帯状部１４、第１臀部固定用帯状部１５および第２臀部固定用帯状部１６引き伸ばして伸張状態で、犬の胴体に巻き付けることができるので、犬の胴体にしっかり固定することができる。さらに、第１胴体固定用帯状部１３、第２胴体固定用帯状部１４、第１臀部固定用帯状部１５および第２臀部固定用帯状部１６の長辺を縮めた状態で、周辺部２１に伸縮性のある布を貼り付けることによって、第１胴体固定用帯状部１３、第２胴体固定用帯状部１４、第１臀部固定用帯状部１５および第２臀部固定用帯状部１６の長辺にギャザーが形成される。そうすることによって、第１胴体固定用帯状部１３、第２胴体固定用帯状部１４、第１臀部固定用帯状部１５および第２臀部固定用帯状部１６の長辺方向に伸縮性を有することができる。したがって、胴体固定用帯状部１２を引き伸ばして伸張状態で、犬の胴体に巻き付けることができるので、犬の胴体にしっかり固定することができる。
【００４５】
吸収体保持部１２、第１胴体固定用帯状部１３、第２胴体固定用帯状部１４、第１臀部固定用帯状部１５および第２臀部固定用帯状部１６は、たとえば、合成繊維および再生繊維からなるニットなどの布を用いることができる。本実施形態では、綿４３％、ポリエステル５７％の混紡された繊維からなるニット（Ｔ／Ｃ４０パイルボーダー、オーミケンシ社製）を使用した。さらに、上記の布の吸収体１７と接触する内側に、抗菌性および消臭性を有する布を重ねて構成される。吸収体１７と接触する内側の布が、抗菌性および消臭性を有する布であるので、尿によるにおいの発生などを防ぐことができる。本実施形態では、抗菌性および消臭性を有する布として、キチン・キトサンと綿の混紡された繊維であるクラビオンコットンからなるニット（クラビオン３０天竺、オーミケンシ社製）を使用した。吸収体保持部１２は、外側の布と内側の布との間に、内側に凸部が形成された芯地を設ける。そうすることによって、吸収体保持部１２に、吸収体１７を保持しやすくなる。
【００４６】
図８は、吸収体１７を示す概略図である。図８（ａ）は、吸収体１７の上面を示す外観図であり、図８（ｂ）は、図８（ａ）の吸収体１７の切断面線Ａ−Ａ’から見た断面図である。吸収体１７は、図７（ａ）に示すように、角が丸い三角形状をしており、吸収体保持部１２に装着される。吸収体１７は、図８（ｂ）に示すように、パルプ４１をシート状に形成し、そのシート状のパルプ４１上に、吸収性高分子化合物４２を分散させ、厚み方向上方および下方から吸収紙４３で挟み、さらに、厚み方向上方から不織布４４、厚み方向下方から高分子フィルム４５で挟むことによって形成される。さらに、高分子フィルム４５の厚み方向下方に、粘着層４６を貼付されている。不織布４４は、透液性があり、尿を透過させることができる不織布を用いることができる。吸収紙４３は、尿の液体を吸収して、その液体を吸収体１７全体に拡散できればよく、たとえば、ティッシュなどを用いることができる。吸収性高分子化合物４２は、尿を吸収してゲル状に固化させる高分子化合物であり、たとえばデンプン‐アクリル酸（塩）グラフト共重合体のケン化物、ナトリウムカルボキシメチルセルロースの架橋物、アクリル酸（塩）重合体などを用いることできる。したがって、パルプ４１に、吸収性高分子化合物４２が混合された材料で、尿を保持することができる。高分子フィルム４５は、不透液性を有し、パルプ４１に、吸収性高分子化合物４２が混合された材料に保持された尿を吸収体１７外部に漏れ出さないようにすることができ、たとえば、ポリエチレンフィルムを用いることができる。粘着層４６は、粘着性を有し、犬用吸収体保持バンド１１の吸収体保持部１２に着脱可能に吸収体１７を貼り付けることによって保持させることができる。このような粘着層４６を有する吸収体１７を吸収体保持部１２に貼り付けた犬用吸収体保持バンド１１は、犬が動き回っても、吸収体１７がずれることがないので、尿が吸収体保持バンド１１外部に漏れだすことがない。
【００４７】
上記の第１の実施形態は、第１胴体固定用帯状部１３の長辺と第１臀部固定用帯状部１５の長辺とのなす角度、および第２胴体固定用帯状部１４の長辺と第２臀部固定用帯状部１６の長辺とのなす角度が０°である犬用吸収体保持バンド１１を説明した。以下、第１胴体固定用帯状部１３の長辺と第１臀部固定用帯状部１５の長辺とのなす角度と第２胴体固定用帯状部１４の長辺と第２臀部固定用帯状部１６の長辺とのなす角度とが同一であり、第１胴体固定用帯状部１３の長辺と第１臀部固定用帯状部１５の長辺とのなす角度が１０°以上９０°以下である実施形態について説明する。
【００４８】
図９は、本発明の第２の実施形態である犬用吸収体保持バンド５１を表側の構成を示す概略図である。図１０は、本発明の第２の実施の形態である犬用吸収体保持バンド５１を裏側の構成を示す概略図である。図９および図１０に示される実施の形態と対応する部分には同一の参照符を付し、重複を避けて説明は省略する。
【００４９】
犬用吸収体保持バンド５１は、第１胴体固定用帯状部１３の長辺と第１臀部固定用帯状部１５の長辺とのなす角度ａ、および第２胴体固定用帯状部１４の長辺と第２臀部固定用帯状部１６の長辺とのなす角度ｂが、１０°以上９０°以下であること以外、第１の実施形態である犬用吸収体保持バンド１１と同様である。角度ａおよび角度ｂは、３０°以上７０°以下であると、より好ましく、さらに好ましくは、４０°以上６０°以下である。本実施形態の場合、角度ａおよび角度ｂが約５０°である。
【００５０】
第１胴体固定用帯状部１３の長辺と第１臀部固定用帯状部１５の長辺とのなす角度ａ、および第２胴体固定用帯状部１４の長辺と第２臀部固定用帯状部１６の長辺とのなす角度ｂは、このような角度が形成された布を用いて形成してもよい。また、第１の実施形態である犬用吸収体保持バンド１１の吸収体保持部１２の第１胴体固定用帯状部１３と第２胴体固定用帯状部１４とに渡る端部を縮めた状態で、周辺部２１に伸縮性のある布を貼り付けることによって、吸収体保持部１２の第１胴体固定用帯状部１３と第２胴体固定用帯状部１４とに渡る端部にギャザーを形成されて実現してもよい。
【００５１】
そうすると、この犬用吸収体保持バンド５１は、しわなどが形成されることなく、胴体を固定する場所と臀部を固定する場所との間に、犬の背中で凸部になっている骨盤がくるように容易に装着することができるので、よりしっかりと犬に装着することができ、犬が動いても、よりずれにくい。
【図面の簡単な説明】
【００５３】
【図１】本発明の第１の実施形態である犬用吸収体保持バンド１１を表側の構成を示す概略図である。
【図２】本発明の第１の実施形態である犬用吸収体保持バンド１１を裏側の構成を示す概略図である。
【図３】犬用吸収体保持バンド１１を装着した犬の模型を横から見た写真を示す図である。
【図４】犬用吸収体保持バンド１１を装着した犬の模型を上から見た写真を示す図である。
【図５】犬用吸収体保持バンド１１を装着した犬の模型を下から見た写真を示す図である。
【図６】犬の骨格を示す図である。
【図７】犬用吸収体保持バンド１１を犬に装着した状態を示す概略図である。
【図８】吸収体１７を示す概略図である。
【図９】本発明の第２の実施形態である犬用吸収体保持バンド５１を表側の構成を示す概略図である。
【図１０】本発明の第２の実施の形態である犬用吸収体保持バンド５１を裏側の構成を示す概略図である。
【図１１】従来技術であるおむつカバー１０１を示す概略図である。
【図１２】従来技術であるおむつカバー１０１を犬に装着した状態を示す概略図である。
【符号の説明】
【００５４】
１１，５１  犬用吸収体保持バンド
１２  吸収体保持部
１３  第１胴体固定用帯状部
１４  第２胴体固定用帯状部
１５  第１臀部固定用帯状部
１６  第２臀部固定用帯状部
１７  吸収体
１８  凸部
２１  周辺部
２２，２４  雌部材
２３，２５  雄部材
３１  骨盤
３２  尻尾
３３，３４  矢符
４１  パルプ
４２  吸収性高分子化合物
４３  吸収紙
４４  不織布
４５  高分子フィルム
４６  粘着層
１０１  おむつカバー
１０２  布
１０３  着脱用合わせ部分
１０４  尿取用おむつ
【図１】
0004614880.tif 000002
【図２】
0004614880.tif 000003
【図４】
0004614880.tif 000004
【図５】
0004614880.tif 000005
【図６】
0004614880.tif 000006
【図７】
0004614880.tif 000007
【図８】
0004614880.tif 000008
【図９】
0004614880.tif 000009
【図１０】
0004614880.tif 000010
【図１１】
0004614880.tif 000011
【図１２】
0004614880.tif 000012
【図３】
0004614880.tif 000013